【手続補正書】
【提出日】平成25年7月24日(2013.7.24)
【手続補正１】
【補正対象書類名】特許請求の範囲
【補正対象項目名】全文
【補正方法】変更
【補正の内容】
【特許請求の範囲】
【請求項１】
サーバと画像形成装置を含む画像形成システムであって、
前記画像形成装置は、
前記サーバにより提供される第１の画面情報に基づき第１の画面を表示させる第１の表示手段と、
前記画像形成装置に格納されている第２の画面情報に基づき第２の画面を表示させる第２の表示手段と、
前記第２の画面を表示するための操作が前記第１の画面上で行われた場合に、前記サーバに対して通知を行う通知手段と、を備え、
前記サーバは、
前記通知手段による通知を受けた場合に、前記第１の画面を前記第２の画面に遷移させるための要求を前記画像形成装置に送信する送信手段を備え、
前記画像形成装置は更に、
前記送信手段により送信された要求を受信した場合に、前記第１の画面が表示された状態であるか否かを判定する判定手段と、
前記判定手段による判定の結果、前記第１の画面が表示された状態であれば前記第２の表示手段による前記第２の画面の表示を行わせ、前記第１の画面が表示された状態でなければ前記第２の表示手段による前記第２の画面の表示を行わせない表示制御手段と、
を備えることを特徴とする画像形成システム。
【請求項２】
前記第１の表示手段はＷｅｂブラウザを用いて前記第１の画面を表示させ、前記第２の表示手段はＷｅｂブラウザを用いずに前記第２の画面を表示させることを特徴とする請求項１に記載の画像形成システム。
【請求項３】
前記画像形成装置は、前記送信手段により送信された要求を、Ｗｅｂサービスを用いて受信することを特徴とする請求項１または２に記載の画像形成システム。
【請求項４】
前記第１の画面は、画像処理に関する機能を選択するための画面であることを特徴とする請求項１乃至３のいずれか１項に記載の画像形成システム。
【請求項５】
前記画像処理に関する機能は、スキャン、コピー、ＦＡＸ、及び印刷の少なくとも１つを含むことを特徴とする請求項４に記載の画像形成システム。
【請求項６】
前記通知手段は、前記第１の画面において特定の機能が選択された場合に前記通知を行うことを特徴とする請求項４または５に記載の画像形成システム。
【請求項７】
サーバと通信可能な画像形成装置であって、
前記サーバにより提供される第１の画面情報に基づき第１の画面を表示させる第１の表示手段と、
前記画像形成装置に格納されている第２の画面情報に基づき第２の画面を表示させる第２の表示手段と、
前記第２の画面を表示するための操作が前記第１の画面上で行われた場合に、前記サーバに対して通知を行う通知手段と、
前記通知手段による通知を受けた前記サーバから画面遷移の要求を受信した場合に、前記第１の画面が表示された状態であるか否かを判定する判定手段と、
前記判定手段による判定の結果、前記第１の画面が表示された状態であれば前記第２の表示手段による前記第２の画面の表示を行わせ、前記第１の画面が表示された状態でなければ前記第２の表示手段による前記第２の画面の表示を行わせない表示制御手段と、
を備えることを特徴とする画像形成装置。
【請求項８】
前記第１の表示手段はＷｅｂブラウザを用いて前記第１の画面を表示させ、前記第２の表示手段はＷｅｂブラウザを用いずに前記第２の画面を表示させることを特徴とする請求項７に記載の画像形成装置。
【請求項９】
前記サーバからの要求を、Ｗｅｂサービスを用いて受信することを特徴とする請求項７または８に記載の画像形成装置。
【請求項１０】
前記第１の画面は、画像処理に関する機能を選択するための画面であることを特徴とする請求項７乃至９のいずれか１項に記載の画像形成装置。
【請求項１１】
前記画像処理に関する機能は、スキャン、コピー、ＦＡＸ、及び印刷の少なくとも１つを含むことを特徴とする請求項１０に記載の画像形成装置。
【請求項１２】
前記通知手段は、前記第１の画面において特定の機能が選択された場合に前記通知を行うことを特徴とする請求項１０または１１に記載の画像形成装置。
【請求項１３】
サーバと画像形成装置を含む画像形成システムにおける画面表示方法であって、
前記画像形成装置において、前記サーバにより提供される第１の画面情報に基づき第１の画面を表示させる第１の表示工程と、
前記画像形成装置において、前記画像形成装置に格納されている第２の画面情報に基づき第２の画面を表示させる第２の表示工程と、
前記画像形成装置において、前記第２の画面を表示するための操作が前記第１の画面上で行われた場合に、前記サーバに対して通知を行う通知工程と、
前記サーバにおいて、前記通知工程による通知を受けた場合に、前記第１の画面を前記第２の画面に遷移させるための要求を前記画像形成装置に送信する送信工程と、
前記画像形成装置において、前記送信工程で送信された要求を受信した場合に、前記第１の画面が表示された状態であるか否かを判定する判定工程と、
前記画像形成装置において、前記判定工程における判定の結果、前記第１の画面が表示された状態であれば前記第２の表示工程による前記第２の画面の表示を行わせ、前記第１の画面が表示された状態でなければ前記第２の表示工程による前記第２の画面の表示を行わせない表示制御工程と、
を備えることを特徴とする画面表示方法。
【請求項１４】
サーバと通信可能な画像形成装置の制御方法であって、
前記サーバにより提供される第１の画面情報に基づき第１の画面を表示させる第１の表示工程と、
前記画像形成装置に格納されている第２の画面情報に基づき第２の画面を表示させる第２の表示工程と、
前記第２の画面を表示するための操作が前記第１の画面上で行われた場合に、前記サーバに対して通知を行う通知工程と、
前記通知工程による通知を受けた前記サーバから画面遷移の要求を受信した場合に、前記第１の画面が表示された状態であるか否かを判定する判定工程と、
前記判定工程における判定の結果、前記第１の画面が表示された状態であれば前記第２の表示工程による前記第２の画面の表示を行わせ、前記第１の画面が表示された状態でなければ前記第２の表示工程による前記第２の画面の表示を行わせない表示制御工程と、
を備えることを特徴とする制御方法。
【請求項１５】
コンピュータを請求項７乃至１２のいずれか１項に記載の画像形成装置の各手段として機能させるためのプログラム。
【手続補正２】
【補正対象書類名】明細書
【補正対象項目名】発明の名称
【補正方法】変更
【補正の内容】
【発明の名称】画像形成システム、画像形成装置、画面表示方法、制御方法、及びプログラム
【手続補正３】
【補正対象書類名】明細書
【補正対象項目名】０００１
【補正方法】変更
【補正の内容】
【０００１】
本発明は、サーバにより提供される画面情報に基づく画面と自装置に格納されている画面情報に基づく画面とを表示する画像形成装置に関するものである。
【手続補正４】
【補正対象書類名】明細書
【補正対象項目名】０００７
【補正方法】変更
【補正の内容】
【０００７】
本発明は、上述の問題に鑑みて成されたものであり、画面遷移の要否を判断し、適切に制御する仕組みを提供することを目的とする。
【手続補正５】
【補正対象書類名】明細書
【補正対象項目名】０００８
【補正方法】変更
【補正の内容】
【０００８】
本発明は、サーバと画像形成装置を含む画像形成システムであって、前記画像形成装置は、前記サーバにより提供される第１の画面情報に基づき第１の画面を表示させる第１の表示手段と、前記画像形成装置に格納されている第２の画面情報に基づき第２の画面を表示させる第２の表示手段と、前記第２の画面を表示するための操作が前記第１の画面上で行われた場合に、前記サーバに対して通知を行う通知手段と、を備え、前記サーバは、前記通知手段による通知を受けた場合に、前記第１の画面を前記第２の画面に遷移させるための要求を前記画像形成装置に送信する送信手段を備え、前記画像形成装置は更に、前記送信手段により送信された要求を受信した場合に、前記第１の画面が表示された状態であるか否かを判定する判定手段と、前記判定手段による判定の結果、前記第１の画面が表示された状態であれば前記第２の表示手段による前記第２の画面の表示を行わせ、前記第１の画面が表示された状態でなければ前記第２の表示手段による前記第２の画面の表示を行わせない表示制御手段と、を備えることを特徴とする。
【手続補正６】
【補正対象書類名】明細書
【補正対象項目名】０００９
【補正方法】変更
【補正の内容】
【０００９】
本発明によれば、画面遷移の要否を判断し、適切に制御することができる。